(57)【要約】【課題】  吸入弁開弁時に発生する２次モードの吸入弁自励振動による騒音発生が抑制された往復動圧縮機を提供する。【解決手段】  シリンダボアを有するシリンダブロックと、シリンダボア内で往復動するピストンと、シリンダボアへ被圧縮流体を導く吸入孔とシリンダボア内の被圧縮流体をシリンダボア外へ導く吐出孔とが形成された弁板と、吸入孔を開閉する片持梁状の薄帯板の吸入弁と、吐出孔を開閉する片持梁状の薄帯板の吐出弁とを備え、シリンダボアの吸入弁に対峙する一端周壁に、吸入弁の開弁時に吸入弁先端部が当接する係合面を有する吸入弁開度規制凹部が形成された往復動圧縮機であって、吸入弁の長手方向中央部の曲げ剛性が他部に比べて大きくなっている。【選択図】  図２
2007146760.tif 000002
【特許請求の範囲】
【請求項１】
シリンダボアを有するシリンダブロックと、シリンダボア内で往復動するピストンと、シリンダボアへ被圧縮流体を導く吸入孔とシリンダボア内の被圧縮流体をシリンダボア外へ導く吐出孔とが形成された弁板と、吸入孔を開閉する片持梁状の薄帯板の吸入弁と、吐出孔を開閉する片持梁状の薄帯板の吐出弁とを備え、シリンダボアの吸入弁に対峙する一端周壁に、吸入弁の開弁時に吸入弁先端部が当接する係合面を有する吸入弁開度規制凹部が形成された往復動圧縮機であって、吸入弁の長手方向中央部の曲げ剛性が他部に比べて大きくなっていることを特徴とする往復動圧縮機。
【請求項２】
吸入弁の長手方向中央部に、吸入弁の長手方向に延在する線状隆起部が形成されていることを特徴とする請求項１に記載の往復動圧縮機。
【請求項３】
吸入弁の長手方向中央部の板厚が他部に比べて大きいことを特徴とする請求項１に記載の往復動圧縮機。
【請求項４】
吸入弁の長手方向中央部の板幅が他部に比べて大きいことを特徴とする請求項１に記載の往復動圧縮機。
【請求項５】
吸入弁の長手方向中央部の縦弾性係数が他部に比べて大きいことを特徴とする請求項１に記載の往復動圧縮機。
【発明の詳細な説明】
【技術分野】
【０００１】
本発明は往復動圧縮機に関するものである。
【背景技術】
【０００２】
シリンダボアを有するシリンダブロックと、シリンダボア内で往復動するピストンと、シリンダボアへ被圧縮流体を導く吸入孔とシリンダボア内の被圧縮流体をシリンダボア外へ導く吐出孔とが形成された弁板と、吸入孔を開閉する片持梁状の薄帯板の吸入弁と、吐出孔を開閉する片持梁状の薄帯板の吐出弁とを備え、シリンダボアの吸入弁に対峙する一端周壁に、吸入弁の開弁時に吸入弁先端部が当接する係合面を有する吸入弁開度規制凹部が形成された往復動圧縮機が特許文献１等に開示されている。
特許文献１等に開示された往復動圧縮機においては、吸入弁の開弁時に吸入弁の先端部が吸入弁開度規制凹部の係合面に当接することにより、吸入弁の１次モード（固定端が節となり先端部が腹となる振動モード）の自励振動の発生が抑制され、当該自励振動に伴う吸入圧脈動の発生が抑制され、吸入圧脈動に伴う騒音が抑制される。
【特許文献１】特開平８−２６１１５４
【発明の開示】
【発明が解決しようとする課題】
【０００３】
特許文献１等に開示された従来の往復動圧縮機には、吸入弁開弁時に吸入弁の先端部が吸入弁開度規制凹部の係合面に当接した状態で、吸入弁の２次モード（先端部と固定端とが節となり長手方向中央部が腹となる振動モード）の自励振動が発生し、当該自励振動に伴って吸入圧脈動が発生し、往復動圧縮機に接続された空調装置の蒸発器が前記吸入圧脈動に共鳴して騒音が発生するという問題がある。
本発明は上記問題に鑑みてなされたものであり、シリンダボアを有するシリンダブロックと、シリンダボア内で往復動するピストンと、シリンダボアへ被圧縮流体を導く吸入孔とシリンダボア内の被圧縮流体をシリンダボア外へ導く吐出孔とが形成された弁板と、吸入孔を開閉する片持梁状の薄帯板の吸入弁と、吐出孔を開閉する片持梁状の薄帯板の吐出弁とを備え、シリンダボアの吸入弁に対峙する一端周壁に、吸入弁の開弁時に吸入弁先端部が当接する係合面を有する吸入弁開度規制凹部が形成された往復動圧縮機であって、吸入弁開弁時に発生する２次モードの吸入弁自励振動による騒音発生が抑制された往復動圧縮機を提供することを目的とする。
【課題を解決するための手段】
【０００４】
上記課題を解決するために、本発明においては、シリンダボアを有するシリンダブロックと、シリンダボア内で往復動するピストンと、シリンダボアへ被圧縮流体を導く吸入孔とシリンダボア内の被圧縮流体をシリンダボア外へ導く吐出孔とが形成された弁板と、吸入孔を開閉する片持梁状の薄帯板の吸入弁と、吐出孔を開閉する片持梁状の薄帯板の吐出弁とを備え、シリンダボアの吸入弁に対峙する一端周壁に、吸入弁の開弁時に吸入弁先端部が当接する係合面を有する吸入弁開度規制凹部が形成された往復動圧縮機であって、吸入弁の長手方向中央部の曲げ剛性が他部に比べて大きくなっていることを特徴とする往復動圧縮機を提供する。
本発明に係る圧縮機においては、吸入弁の長手方向中央部の曲げ剛性が他部に比べて大きくなっているので、吸入弁開弁時に吸入弁の先端部が吸入弁開度規制凹部の係合面に当接した状態で発生する、２次モードの吸入弁自励振動の周波数が従来に比べて上昇し、当該自励振動に伴って発生する吸入圧脈動と空調装置蒸発器との共鳴が防止される。この結果、吸入弁開弁時に発生する２次モードの吸入弁自励振動による騒音発生が抑制される。
【０００５】
本発明の好ましい態様においては、吸入弁の長手方向中央部に、吸入弁の長手方向に延在する線状隆起部が形成されている。
本発明の好ましい態様においては、吸入弁の長手方向中央部の板厚が他部に比べて大きい。
本発明の好ましい態様においては、吸入弁の長手方向中央部の板幅が他部に比べて大きい。
本発明の好ましい態様においては、吸入弁の長手方向中央部の縦弾性係数が他部に比べて大きい。
吸入弁の長手方向中央部の曲げ剛性を他部に比べて大きくするために、吸入弁の長手方向中央部に、吸入弁の長手方向に延在する線状隆起部を形成しても良く、吸入弁の長手方向中央部の板厚を他部に比べて大きくしても良く、吸入弁の長手方向中央部の板幅を他部に比べて大きくしても良く、或いは吸入弁の長手方向中央部の縦弾性係数を他部に比べて大きくしても良い。
【発明の効果】
【０００６】
本発明に係る圧縮機においては、吸入弁の長手方向中央部の曲げ剛性が他部に比べて大きくなっているので、吸入弁開弁時に吸入弁の先端部が吸入弁開度規制凹部の係合面に当接した状態で発生する、２次モードの吸入弁自励振動の周波数が従来に比べて上昇し、当該自励振動に伴って発生する吸入圧脈動と空調装置蒸発器との共鳴が防止される。この結果、吸入弁開弁時に発生する２次モードの吸入弁自励振動による騒音発生が抑制される。
【発明を実施するための最良の形態】
【０００７】
本発明の実施例に係る往復動圧縮機を説明する。
【実施例１】
【０００８】
図１に示すように、柱状のシリンダブロック１の両端を覆って、フロントハウジング２とシリンダヘッド３とが配設されている。フロントハウジング２の内部にクランク室４が形成され、シリンダブロック１の内部に周方向に互いに間隔を隔てて複数のシリンダボア５が形成されている。クランク室４内に、斜板６が配設されている。斜板６の中心に駆動軸７が挿通されている。駆動軸７は、図示しないベアリングを介して、フロントハウジング２とシリンダブロック１とに回転可能に支持されている。
駆動軸７に、ローター８が固定されている。ローター８は、スラストベアリング９を介してフロントハウジング２に支持されている。
斜板６は、リンク機構１０を介して、駆動軸７に対する傾角変動可能に、且つローター８に対する駆動軸７回りの相対回転不能に、ローター８に連結されている。
【０００９】
斜板６に、シュー１１を介してピストン１２が係合している。ピストン１２は、駆動軸７と平行に延在し、シリンダボア５に往復摺動可能に挿入されている。
【００１０】
シリンダヘッド３の内部に、吸入室１３と吐出室１４とが画成されている。シリンダヘッド３に形成された吸入ポート３ａが吸入室１３に連通している。シリンダヘッド３に形成された図示しない吐出ポートが吐出室１４に連通している。
シリンダブロック１とシリンダヘッド３とに挟持されて弁板１５が配設されている。弁板１５には、シリンダボア５と吸入室１３とに連通する円形の吸入孔１５ａと、シリンダボア５と吐出室１４とに連通する円形の吐出孔１５ｂとが形成されている。
【００１１】
弁板１５は、吸入室１３から離隔する側で吸入孔１５ａを開閉する吸入弁１６と、吐出室１４側で吐出孔１５ｂを開閉する吐出弁１７とを装備している。吸入弁１６は、一端が弁板１５とシリンダブロック１とにより挟持されて固定された片持梁状の薄帯板のリード弁として構成されている。吐出弁１７は、一端が弁板１５とバルブリテーナ１８とにより挟持されて固定された片持梁状の薄帯板のリード弁として構成されている。
図１、２に示すように、吸入弁１６の長手方向中央部のシリンダボア５に対峙する面に、吸入弁１６の長手方向に延在する線状隆起部１６ａが形成されている。
【００１２】
シリンダボア５の吸入弁１６に対峙する一端周壁に、吸入弁１６の開弁時に吸入弁１６の自由端側の先端部が当接する係合面５ａ′を有する吸入弁開度規制凹部５ａが形成されている。
【００１３】
本実施例に係る往復動圧縮機の作動を以下に説明する。
図示しない外部駆動源によって駆動軸７が回転駆動され、駆動軸７の回転に伴って斜板６が回転する。斜板６の回転に伴って、ピストン１２がシリンダボア５内を往復動する。ピストン１２の往行移動に伴い、ボア５内の圧力が低下し、吸入弁１６の先端部が弁板１５から離れて吸入孔１５ａが開く。
吸入弁１６の先端部が吸入弁開度規制凹部５ａの係合面５ａ′に当接することにより、吸入弁１６の開度が規制され、また吸入弁１６の１次モード（固定端が節となり先端部が腹となる振動モード）の自励振動の発生が抑制され、当該自励振動に伴う吸入圧脈動の発生が抑制され、吸入圧脈動に伴う騒音が抑制される。
外部冷凍回路から吸入ポート３ａを通って吸入室１３へ流入した冷媒ガスが、吸入孔１５ａを通ってシリンダボア５内に吸入され、シリンダボア５内で圧縮される。シリンダボア５内の冷媒ガス圧が上昇し、吐出弁１７の先端部が弁板１５から離れて吐出孔１５ｂが開く。シリンダボア５内の加圧冷媒ガスは、吐出孔１５ｂを通って吐出室１４へ吐出し、吐出室１４から図示しない吐出ポートを通って外部冷凍回路へ流出する。
【００１４】
本実施例に係る往復動圧縮機においては、吸入弁１６の長手方向中央部のシリンダボア５に対峙する面に、吸入弁１６の長手方向に延在する線状隆起部１６ａが形成されており、吸入弁１６の長手方向中央部の曲げ剛性が他部に比べて大きくなっているので、吸入弁開弁時に吸入弁１６の先端部が吸入弁開度規制凹部５ａの係合面５ａ′に当接した状態で発生する、２次モード（先端部と固定端とが節となり長手方向中央部が腹となる振動モード）の吸入弁自励振動の周波数が従来に比べて上昇し、当該自励振動に伴って発生する吸入圧脈動と空調装置蒸発器との共鳴が防止される。この結果、吸入弁開弁時に発生する２次モードの吸入弁自励振動による騒音発生が抑制される。
【実施例２】
【００１５】
吸入弁１６の長手方向中央部の曲げ剛性を他部に比べて大きくするために、図３に示すように、吸入弁１６の長手方向中央部を、板厚が他部に比べて大きな厚肉部１６ｂとしても良い。
【実施例３】
【００１６】
吸入弁１６の長手方向中央部の曲げ剛性を他部に比べて大きくするために、図４に示すように、吸入１６弁の長手方向中央部を、板幅が他部に比べて大きな広幅部１６ｃとしても良い。
【実施例４】
【００１７】
吸入弁１６の長手方向中央部の曲げ剛性を他部に比べて大きくするために、熱処理等により吸入弁１６の長手方向中央部の縦弾性係数を他部に比べて大きくしても良い。
【産業上の利用可能性】
【００１８】
本発明は、斜板式圧縮機、揺動板式圧縮機等、シリンダボアを有するシリンダブロックと、シリンダボア内で往復動するピストンと、シリンダボアへ被圧縮流体を導く吸入孔とシリンダボア内の被圧縮流体をシリンダボア外へ導く吐出孔とが形成された弁板と、吸入孔を開閉する片持梁状の薄帯板の吸入弁と、吐出孔を開閉する片持梁状の薄帯板の吐出弁とを備え、シリンダボアの吸入弁に対峙する一端周壁に、吸入弁の開弁時に吸入弁先端部が当接する係合面を有する吸入弁開度規制凹部が形成された、種々の往復動圧縮機に適用可能である。
【図面の簡単な説明】
【００１９】
【図１】本発明の第１実施例に係る往復動圧縮機の断面図である。
【図２】図１の往復動圧縮機が備える吸入弁の構造図である。（ａ）はシリンダボア側から見た正面図であり、（ｂ）は（ａ）のｂ−ｂ矢視図であり、（ｃ）は（ａ）のｃ−ｃ矢視図である。
【図３】本発明の第２実施例に係る往復動圧縮機が備える吸入弁の構造図である。（ａ）は図２の（ｂ）に相当し、（ｂ）は図２の（ｃ）に相当する。
【図４】本発明の第３実施例に係る往復動圧縮機が備える吸入弁の、シリンダボア側から見た正面図である。
【符号の説明】
【００２０】
１  シリンダブロック
２  フロントハウジング
３  シリンダヘッド
４  クランク室
５  シリンダボア
５ａ  吸入弁開度規制凹部
５ａ′  係合面
６  斜板
１２  ピストン
１３  吸入室
１４  吐出室
１５  弁板
１５ａ  吸入孔
１５ｂ  吐出孔
１６  吸入弁
１６ａ  線状隆起部
１６ｂ  厚肉部
１６ｃ  広幅部
１７  吐出弁
１８  バルブリテーナ
【図１】
2007146760.tif 000003
【図２】
2007146760.tif 000004
【図３】
2007146760.tif 000005
【図４】
2007146760.tif 000006